(57)【要約】【課題】清掃時の操作性を良好にする。【解決手段】便器清掃用の清掃具１の柄部２の先端に着脱自在に取り付けられる水解性の清掃物品３は、柄部２に保持される被保持部３１と、被保持部３１の先端から柄部２の長手方向と異なる方向に突出して被清掃部に押し付けられる清掃部３２と、を備える。【選択図】図１
2019176965.tif 000002
【特許請求の範囲】
【請求項１】
便器清掃用の清掃具の柄部の先端に着脱自在に取り付けられる水解性の清掃物品において、
前記柄部に保持される被保持部と、
前記被保持部の先端から前記柄部の長手方向と異なる方向に突出して被清掃部に押し付けられる清掃部と、
を備えることを特徴とする清掃物品。
【請求項２】
前記被保持部は、前記清掃部の上面の略中央に設けられ、
前記清掃部は、断面視において前記被保持部の先端から互いに逆向きの２方向に突出することを特徴とする請求項１に記載の清掃物品。
【請求項３】
水解性を有するシート体を２層以上重ね合わせた積層体により形成されていることを特徴とする請求項１又は２に記載の清掃物品。
【請求項４】
パルプモールドにより形成されていることを特徴とする請求項１又は２に記載の清掃物品。
【請求項５】
パルプモールドにより形成されたコア部と、前記コア部の表面を覆う水解性を有するシート体からなる表層部と、により形成されていることを特徴とする請求項１又は２に記載の清掃物品。
【請求項６】
請求項１から５のいずれか一項に記載の清掃物品と、
前記清掃物品の前記被保持部を着脱自在に保持する保持部を有する柄部と、
を備えることを特徴とする清掃具。
【発明の詳細な説明】
【技術分野】
【０００１】
本発明は、清掃具に取り付けて使用する清掃物品、及び当該清掃物品の取り付けられた清掃具に関する。
【背景技術】
【０００２】
従来、トイレに設置された便器の清掃に用いられるクリーニングブラシ等の清掃具が普及している。この清掃具は、使用者が柄を持ち、そのヘッド部により便器の内面を擦って汚れを落とすように使用されるので、繰り返し使用する場合、ヘッド部の清潔性が損なわれ、臭いやカビなどが発生する原因となる。
そこで、清掃具のヘッド部を複数の水解紙を積層させて形成し、このヘッド部を柄に着脱自在に保持させ、使用後、ヘッド部を柄から外して便器に流すことを可能とする技術が提案されている（例えば、特許文献１参照）。
【先行技術文献】
【特許文献】
【０００３】
【特許文献１】特許第４４８２５５９号公報
【発明の概要】
【発明が解決しようとする課題】
【０００４】
しかしながら、上記特許文献１に記載された技術は、複数の紙を単純に積層させてヘッド部を形成し、その一端部を柄で保持した構成であるため、図６に示すように、柄６１からヘッド部６２にかけて側面視で直線的な形状である。
このため、便器の縁の裏を擦りたい場合などに柄部が便器に接触して届きにくく、擦れているのか感覚的にわかりづらい。また、しっかり便器の縁の裏を擦るには、柄をほぼ水平に傾けて作業する必要があるため、予期せず手が便器に触れてしまうおそれがあった。よって、清掃時の操作性が良好なものが望まれていた。
【０００５】
本発明の課題は、清掃時の操作性が良好な、清掃具に取り付けて使用する清掃物品、及び当該清掃物品の取り付けられた清掃具を提供することである。
【課題を解決するための手段】
【０００６】
上記課題を解決するために、請求項１に記載の発明は、
便器清掃用の清掃具の柄部の先端に着脱自在に取り付けられる水解性の清掃物品において、
前記柄部に保持される被保持部と、
前記被保持部の先端から前記柄部の長手方向と異なる方向に突出して被清掃部に押し付けられる清掃部と、
を備えることを特徴とする。
本発明によれば、清掃部により被清掃部を擦りやすく、清掃時の操作性を良好にすることができる。
【０００７】
また、請求項２に記載の発明は、請求項１に記載の清掃物品において、
前記被保持部は、前記清掃部の上面の略中央に設けられ、
前記清掃部は、断面視において前記被保持部の先端から互いに逆向きの２方向に突出することを特徴とする。
本発明によれば、清掃部の形状を維持しやすくすることができる。
【０００８】
また、請求項３に記載の発明は、請求項１又は２に記載の清掃物品において、
水解性を有するシート体を２層以上重ね合わせた積層体により形成されていることを特徴とする。
本発明によれば、水に対してほぐれやすくすることができる。
【０００９】
また、請求項４に記載の発明は、請求項１又は２に記載の清掃物品において、
パルプモールドにより形成されていることを特徴とする。
本発明によれば、被清掃部を強く擦ることができる。
【００１０】
また、請求項５に記載の発明は、請求項１又は２に記載の清掃物品において、
パルプモールドにより形成されたコア部と、前記コア部の表面を覆う水解性を有するシート体からなる表層部と、により形成されていることを特徴とする。
本発明によれば、被清掃部を強く擦ることができ、また、清掃部の形状を維持しやすくすることができる。
【００１１】
また、請求項６に記載の発明は、清掃具において、
請求項１から５のいずれか一項に記載の清掃物品と、
前記清掃物品の前記被保持部を着脱自在に保持する保持部を有する柄部と、
を備えることを特徴とする。
本発明によれば、清掃部により被清掃部を擦りやすく、清掃時の操作性を良好にすることができる。
【発明の効果】
【００１２】
本発明によれば、清掃時の操作性が良好な、清掃具に取り付けて使用する使い捨て清掃物品、及び当該清掃物品の取り付けられた清掃具を提供することができる。
【図面の簡単な説明】
【００１３】
【図１】清掃具に取り付けられた清掃物品を示す側面図である。
【図２】清掃物品を示す斜視図である。
【図３】清掃物品の清掃時の様子を示す図である。
【図４】他の態様の清掃物品を示す断面図である。
【図５】他の態様の清掃物品を示す断面図である。
【図６】従来の清掃物品について説明するための図である。
【発明を実施するための形態】
【００１４】
以下、本発明の実施形態である清掃具及び清掃物品の具体的な態様について、図１から図５に基づいて説明する。ただし、本発明の技術的範囲は、図示例に限定されない。
また、便宜的に、図１から図５に示したようにＸ軸、Ｙ軸及びＺ軸並びに前後方向、左右方向及び上下方向を定めて説明する。
【００１５】
＜実施形態の構成＞
（清掃具）
図１に示すように、清掃具１は、長尺な棒状の柄部２と、柄部２の先端に着脱自在に取り付けられる清掃物品３と、を備えて構成される。清掃具１は、トイレに設置された便器の清掃などに用いられるものである。
【００１６】
（柄部）
柄部２は、清掃具１の使用に際して使用者等が把持するための部位であり、その長さや形状等は使用者等が把持可能なものであれば特に限定はない。
例えば、使用者等が把持可能な程度の長さを有する直線状の棒であっても良いし、所定の曲率で湾曲するアーチ状の棒であっても良い。また、清掃具１の未使用時に、当該清掃具１を吊り下げるための孔などが形成されていても良い。
【００１７】
かかる柄部２の先端には、清掃物品３の被保持部３１を着脱自在に保持する保持部２１が設けられている。
保持部２１は、例えば、２枚の板体２１ａ，２１ａを備え、これにより被保持部３１を挟持して保持する構成であるが、被保持部３１を着脱自在に保持可能なものであれば、その構成は如何なるものでも適用可能である。
【００１８】
（清掃物品）
清掃物品３は、柄部２の先端に着脱自在に取り付けられて、便器の内面などの被清掃部に押し付けられてその清掃を行うための部位である。
なお、清掃物品３において柄部２が取り付けられる側を「上面」、その反対側を「下面」とする。
この清掃物品３は、水解性を有する素材により形成され、清掃後、柄部２の保持部２１から外して便器に流すことが可能である。
【００１９】
具体的に、清掃物品３は、図１に示すように、水解性を有する一枚のシート体を折り畳むことで２層以上重ね合わされた積層体により形成されている。
また、清掃物品３は、柄部２に保持される被保持部３１と、被保持部３１の先端から柄部２の長手方向（上下方向）と異なる方向（柄部２の長手方向に対して垂直な左右方向）に突出する清掃部３２とを有する構成である。
清掃物品３は、上述したようにシート体が折り畳まれて形成されたものであるため、被保持部３１と清掃部３２は一体である。シート体を折り畳んで清掃物品３を形成することで、製造を容易にすることができる。
なお、ここでは、一枚のシート体が折り畳まれて積層体が形成されている構成としたが、複数枚のシート体を重ね合わせて２層以上とした積層体であっても良い。
このように、清掃物品３を積層体とすることで、便器に流す際に水に対してほぐれやすくすることができる。
【００２０】
（被保持部）
被保持部３１は、図２に示すように、清掃部３２の上面において左右方向の略中央となる位置で、当該清掃部３２の上面から上方に突出し、且つ、前後方向に沿って延在するように設けられる。かかる形状により、被保持部３１は、保持部２１の板体２１ａ，２１ａにより挟持される。
【００２１】
（清掃部）
清掃部３２は、図２に示すように、例えば、扁平な矩形状に形成されており、主にその下面及び周面が、被清掃部に押し付けられて汚れの除去を行う清掃面として機能する。
清掃部３２は、断面視において被保持部３１の先端から互いに逆向きの２方向（水平方向）に突出している。即ち、清掃部３２の左端部３２ａと右端部３２ｂは、柄部２及び被保持部３１に対して、それぞれ左方向及び右方向に突出している。これにより、清掃物品３は全体として断面視逆Ｔ字状を呈し、清掃時に柄部２を便器に接触させることなく、清掃部３２の左端部３２ａや右端部３２ｂを便器の縁の裏に押し付けることが可能となる。
【００２２】
なお、被清掃部を擦った際の掻き取り性を向上させるため、清掃部３２の清掃面（下面及び周面）には、所定の形状が備えられた構成とすることも好ましい。例えば、清掃物品３を形成するシート体にエンボス加工を施すことにより、清掃部３２の清掃面に所定の形状を備えさせることができる。
【００２３】
また、本実施の形態の清掃物品３に用いられる水解性を有するシート体とは、例えば、湿式抄紙法により作製される水解紙や、エアレイド不織布などである。かかるシート体の原料には、バージンパルプが用いられることが好ましい。古紙再生パルプには樹脂や石灰等の異物が混入することもあり、清掃時に被清掃部が傷ついたり、流した際に所望の水解性がでない懸念があるためである。
【００２４】
（清掃具の清掃方法）
次に、清掃具１の使用方法について説明する。
まず、使用者等により、柄部２の先端に清掃物品３が取り付けられる。具体的には、保持部２１の板体２１ａ，２１ａにより被保持部３１を挟むことで、柄部２の先端に清掃物品３を取り付けることができる。
次いで、この状態の清掃具１を用いて、使用者等により、便器の内面などの被清掃部を清掃物品３により擦ることで、被清掃部の汚れの除去が行われる。
ここで、清掃物品３の左端部３２ａ及び右端部３２ｂが、被保持部３１の先端から左方向及び右方向に突出した形状であるため、図３に示すように、柄部２が便器の縁に接触することなく、清掃物品３を便器の縁の裏に押し付けることができ、便器の縁の裏の清掃を容易に行うことができる。また、柄部２を水平に傾ける必要があるなどの使いづらさも発生しない。
また、このとき、清掃物品３が被保持部３１の先端から左右両方（互いに逆向きの２方向）に突出した形状であるため、この左端部３２ａ及び右端部３２ｂが互いに支え合い、一方が濡れたとしても他方により強度を確保できるので、清掃時に清掃物品３の形状が崩れるのを抑制することができる。従って、操作性を損なうことなく清掃することができる。
次いで、清掃が終了すると、清掃物品３は水解性を有するため、清掃物品３は柄部２の保持部２１から外され、便器に流すことができる。
【００２５】
＜実施形態の効果＞
以上のように、本実施の形態によれば、便器清掃用の清掃具１の柄部２の先端に着脱自在に取り付けられる水解性の清掃物品３は、柄部２に保持される被保持部３１と、被保持部３１の先端から柄部２の長手方向と異なる方向に突出して被清掃部に押し付けられる清掃部３２と、を備える。
このため、清掃時に柄部２が便器の縁に接触することなく、清掃物品３を被清掃部に押し付けることができるので、清掃時の操作性を良好にすることができる。
【００２６】
また、本実施の形態によれば、被保持部３１は、清掃部３２の上面の略中央に設けられ、清掃部３２は、断面視において被保持部３１の先端から互いに逆向きの２方向に突出する。
このため、清掃時に清掃物品３の形状が崩れるのを抑制することができる。
【００２７】
また、本実施の形態によれば、水解性を有するシート体を２層以上重ね合わせた積層体により形成されている。
このため、水に対してほぐれやすくすることができる。
【００２８】
次に、上記実施の形態の変形例について説明する。なお、上記実施の形態と同一の構成については同一の符号を付して、その説明を省略する。
【００２９】
＜変形例１＞
変形例１の清掃具１Ａは、図４に示すように、パルプモールドにより形成した清掃物品３Ａを備えている。
パルプモールドとは、パルプを水で溶かして、金網で抄き上げた後、乾燥してできる紙成形品である。ここで使用するパルプとしては、バージンパルプが用いられることが好ましい。
この場合であっても、図４に示すように、清掃物品３Ａは、清掃物品３と同様の形状、即ち、断面視逆Ｔ字状を呈するように形成され、被保持部３１と清掃部３２とを有する構成である。
なお、被清掃部を擦った際の掻き取り性を向上させるため、清掃部３２の清掃面（下面及び周面）に凹凸等の所定の形状が形成されていても良い。
そして、清掃物品３Ａは、被保持部３１により柄部２の保持部２１に着脱自在に取り付けられて、清掃部３２により被清掃部の清掃を行った後、柄部２の保持部２１から外して便器に流すことが可能である。
【００３０】
以上のように、変形例１の清掃物品３Ａによれば、上記実施の形態の清掃物品３と同様の効果が得られるのは勿論のこと、パルプモールドで形成されるため所定の強度を担保させることができるので、被清掃部を強く擦ることが可能となる。
【００３１】
＜変形例２＞
また、変形例２の清掃具１Ｂは、図５に示すように、コア部３３と、コア部３３の表面を覆う水解性を有するシート体からなる表層部３４と、により形成された清掃物品３Ｂを備えている。
【００３２】
コア部３３は、パルプモールドにより形成される。ここで使用するパルプとしては、バージンパルプが用いられることが好ましい。
このコア部３３は、清掃物品３と同様の形状、即ち、断面視逆Ｔ字状を呈するように形成され、被保持部３１と清掃部３２とを有する構成である。
なお、被清掃部を擦った際の掻き取り性を向上させるため、清掃部３２の下面及び周面に凹凸等の所定の形状が形成されていても良い。
【００３３】
また、表層部３４は、コア部３３の形状に沿って、コア部３３全体を覆うように設けられている。なお、これにより、表層部３４の下面及び周面が清掃面として機能することとなる。表層部３４に用いられるシート体は、水解紙やエアレイド不織布であって、バージンパルプが用いられることが好ましい。
かかる表層部３４を備えることで、清掃時に、パルプモールドからなるコア部３３の形状が崩れるのを防止することができる。
【００３４】
この清掃物品３Ｂも、被保持部３１により柄部２の保持部２１に着脱自在に取り付けられて、清掃部３２（表層部３４）により被清掃部の清掃を行った後、柄部２の保持部２１から外して便器に流すことが可能である。
【００３５】
以上のように、変形例２の清掃物品３Ｂによれば、上記実施の形態の清掃物品３と同様の効果が得られるのは勿論のこと、パルプモールドからなるコア部３３により所定の強度を担保させることができるので、被清掃部を強く擦ることが可能となる。また、表層部３４によりコア部３３の形状をより維持しやすいため、操作性を損なうことなく清掃することができる。
【００３６】
なお、上記変形例２では、表層部３４は、コア部３３全体を覆う構成としたが、少なくとも清掃部３２の下面及び周面を覆っていれば良い。
【００３７】
以上、本発明の実施の形態を説明したが、本発明を適用可能な実施の形態は、上述した実施の形態に限定されることなく、本発明の趣旨を逸脱しない範囲で適宜変更可能である。
【００３８】
例えば、上記実施の形態では、清掃部３２は、被保持部３１の先端から、柄部２の長手方向に対して垂直な左右方向に突出することとしたが、柄部２の長手方向と異なる方向であれば、その突出方向は、柄部２の長手方向に対して垂直な方向に限定されない。即ち、例えば、柄部２の長手方向に対して傾斜した左右方向などに突出していても良い。
【００３９】
また、上記実施の形態では、清掃物品３、３Ａ、３Ｂの形状を断面視逆Ｔ字状としたが、清掃部３２が、断面視において被保持部３１の先端から互いに逆向きの２方向に突出する構成としては、これ以外にも、例えば、断面視逆Ｙ字状、清掃部３２の左端部３２ａと右端部３２ｂが湾曲している形状、清掃部３２の下面の中央部に前後方向に沿った溝が形成されている形状なども含みうる。
更に、被保持部３１の先端から柄部２の長手方向と異なる方向に突出して被清掃部に押し付けることのできる構成であれば、例えば、Ｌ字状などであっても良い。
【００４０】
また、上記実施の形態では、清掃部３２が扁平な矩形状、即ち、上面視において四角形状であるとしたが、清掃部３２の形状は前後方向及び左右方向に幅をもつものであれば、矩形状でなくとも良い。例えば、上面視において円形状、楕円形状などであっても良い。
【実施例】
【００４１】
以下、本発明を実施例に基づいてさらに詳細に説明するが、本発明はかかる実施例のみに限定されるものではない。
【００４２】
（１．清掃物品の条件）
下記実施例１〜４、比較例１に示す条件の清掃物品を用意した。
実施例１：水解紙（バージンパルプ１００％）の積層体からなり、断面視逆Ｔ字状のもの（図２参照）
実施例２：パルプモールド（バージンパルプ１００％）からなり、断面視逆Ｔ字状のもの（図４参照）
実施例３：パルプモールド（バージンパルプ１００％、コア部）、及び水解紙（バージンパルプ１００％、表層）からなり、断面視逆Ｔ字状のもの（図５参照）
実施例４：水解紙（バージンパルプ１００％）の積層体からなり、断面視Ｌ字状のもの
比較例１：水解紙（ジョンソン社製；流せるトイレブラシ）からなり、断面視（側面視）で平面状のもの（図６参照）
【００４３】
（２．性能評価）
上記実施例１〜４、比較例１の清掃物品を、それぞれ市販品の柄部（ジョンソン社製；流せるトイレブラシ本体）に装着し、操作性、形状維持性能、水に対するほぐれやすさについて性能評価を行った。トイレは、ＴＯＴＯ社製  ＳＨ２２１ＢＡＳ  ＶＲ＃ＳＣ１  を使用した。
【００４４】
＜操作性＞
トイレ便器内の平面部、便器のフチ裏、便器の溜水部の３箇所について、１０人がそれぞれ清掃を行い、下記の基準により評価を行った。その結果は表Ｉに示す。
◎：拭きにくさを感じる人が０〜１名
○：拭きにくさを感じる人が２〜３名
△：拭きにくさを感じる人が４〜８名
×：拭きにくさを感じる人が９〜１０名
【００４５】
＜形状維持性能＞
（１）清掃物品を便器の溜水部に漬けて水を吸わせた状態で、便器内の平面部に対し、ブラシを左右方向に往復５回、軽い力で清掃
（２）清掃物品を便器の溜水部に漬けて水を吸わせた状態で、便器内平面部に対し、ゴシゴシと力を入れて清掃
上記（１）（２）の手法により１０人がそれぞれ清掃を行い、下記の基準により評価を行った。その結果は表Ｉに示す。
◎：形状維持できていると感じる人が９〜１０名
○：形状維持できていると感じる人が４〜８名
△：形状維持できていると感じる人が２〜３名
×：形状維持できていると感じる人が０〜１名
【００４６】
＜水に対するほぐれやすさ＞
便器内部の清掃を１０人がそれぞれ３分実施した後、清掃物品を柄部からはずして水に流した。その際の流れやすさを確認し、下記の基準により評価を行った。その結果は表Ｉに示す。
◎：流れやすいと感じる人が９〜１０名
○：流れやすいと感じる人が４〜８名
△：流れやすいと感じる人が２〜３名
×：流れやすいと感じる人が０〜１名
【００４７】
＜総合評価＞
上記操作性、形状維持性能、水に対するほぐれやすさの評価結果に基づいて、下記の基準により評価を行った。その結果は表Ｉに示す。
◎：３つの評価項目の結果が、◎又は○のみ
○：３つの評価項目の結果に、△が含まれる
△：３つの評価項目の結果に、×が含まれる
【００４８】
【表１】
2019176965.tif 000003
【００４９】
表Ｉの結果から、実施例１〜４の清掃物品は、操作性が良好であることがわかる。一方、比較例１の清掃物品は、特にフチ裏の清掃が行いづらいことがわかる。特に、実施例１〜３の清掃物品では形状が維持されやすく、このため、操作性を損なうことなく清掃することができる。
また、実施例１〜４の清掃物品は水に流す際に何ら問題はないが、特に実施例１及び４において、流れやすくすることができる。
【符号の説明】
【００５０】
１、１Ａ、１Ｂ  清掃具
２  柄部
２１  保持部
２１ａ，２１ａ  板体
３、３Ａ、３Ｂ  清掃物品
３１  被保持部
３２  清掃部
３２ａ  左端部
３２ｂ  右端部
３３  コア部
３４  表層部
【図１】
2019176965.tif 000004
【図２】
2019176965.tif 000005
【図３】
2019176965.tif 000006
【図４】
2019176965.tif 000007
【図５】
2019176965.tif 000008
【図６】
2019176965.tif 000009